(57)【要約】【課題】被収納機器である単行本のような平板な直方体形状を有している小型の電子機器は、直立して設置すると不安定で倒れやすい。また操作するときは、手で電子機器が倒れないように全体を手で支えるか、手で持つことになる。また、卓上で視聴するときは、ラジオや液晶テレビは直立しているので、それをより良く視聴することが難しい。さらに設置に関し、吊り下げて設置することもできたら便利である。【解決手段】小型または携帯式の電子機器を収納するハンガーを兼用するスタンドであり、収納部と連結部で繋がった湾曲する形状を有した支持部は前記連結部を支点として回動し、その最下点に達した位置が前記収納部の底面と同一の水平面上に来るように配置されている。【選択図】図１
2013106165.tif 000002
【特許請求の範囲】
【請求項１】
小型または携帯式の電子機器を収納するハンガーを兼用するスタンドであり、収納部と連結部で繋がった湾曲する形状を有した支持部は前記連結部を支点として回動し、その最下点に達した位置が前記収納部の底面と同一の水平面上に来るように配置されていることを特徴とするスタンド。
【発明の詳細な説明】
【技術分野】
【０００１】
ハンガーを兼用するスタンドに関する
【背景技術】
【０００２】
従来、ホルダー装置とキャビネットとの間を所定角度に回動する技術が開示されている（例えば、特許文献１を参照。）。この方法はラジオ受信機のホルダー装置を用いてラジオの受信状態を良好とするために本体を回動する。
【０００３】
特許文献１によれば、ホルダー装置がキャビネットに装着され回動することで、本願発明と類似する。
【０００４】
本願発明は、被収納機器を収納する器具は、吊るし下げ機能を有したスタンドである点において異なる。
【０００５】
キャビネットの背面にスタンドを回動可能に取り付ける技術が開示されている（例えは、特許文献２を参照。）。この方法によればラジオ受信機にスタンドを設ける。
【０００６】
特許文献２によれば、キャビネットを所定の位置に維持するスタンドをラジオ受信機の背面に設けていることにおいて本願発明と類似する。
【０００７】
本願発明は、収納部の背面に取り付けられた支持部が連結部を支点として収納部の背面に沿って回動する点と吊り下げ機能を有する点とにおいて異なる。
【０００８】
スタンドとキャリングハンドルを兼用する技術が開示されている（例えば、特許文献３を参照。）。この方法によれば、小型液晶テレビに所望の位置でロックを可能にするスタンドを取り付ける。
【０００９】
特許文献３によれば、小型液晶テレビに取り付けられたスタンドが回動可能であることと、そのスタンドがキャリング機能を有することにおいて本願発明と類似する。
【００１０】
本願発明は、収納部の背面に取り付けられた支持部が連結部を支点として収納部の背面に沿って回動する点と吊り下げ機能が被収納機器に対して直角方向になされる点とにおいて異なる。
【００１１】
自立と吊り下げ兼用の技術が開示されている（例えば、特許文献４を参照。）。この方法によれば自立用の背受板と吊り下げ用の孔を有する。
【００１２】
特許文献４の技術によれば、展示具はスタンド機能と吊り下げ機能を有していることにおいて本願発明と類似する。
【００１３】
本願発明は、スタンド機能を果たす支持部を上方へ回動させて吊り下げ機能を実現する点と、自立と吊り下げの兼用機能が１個の支持部でなされる点とにおいて異なる。
【先行技術文献】
【特許文献】
【００１４】
【特許文献１】実開  昭６１−１７１３３４号公報（第１、２頁）
【特許文献２】実開  平３−９０５３５号公報（第１、２頁）
【特許文献３】実開  平４−４４７７８号公報（第１、２、３頁）
【特許文献４】特開  ２００９−１０６６０９号公報（第１頁）
【発明の概要】
【発明が解決しようとする課題】
【００１５】
回動式ハンギングスタンドの被収納機器である、単行本のような平板な直方体形状を有して、卓上で使用したり、携行したりできる電子機器は、直立して設置すると不安定で倒れやすいものがある。
【００１６】
被収納機器の操作部を操作するときは、手で電子機器が倒れないように全体を手で支えるか、手で持つことになる。
【００１７】
被収納機器の一例であるラジオや小型の液晶テレビを卓上で視聴ときは、ラジオや液晶テレビは直立しているので、音は前面に出力される。それをより良く視聴する場合、耳や目の位置をスピーカーや画面と同じ水平位置に置く事が望ましいが、卓上に置かれたラジオや液晶テレビではそれらに対応することが難しい。
【００１８】
また、ラジオの利用ケースを見ると、深夜、自宅や病気療養中の病院のベッドの枕元で利用するケースがある。夜中ということで、当該ラジオの設置環境は暗く、また枕元ゆえの手狭さで、ラジオを手探りして、誤ってベッドから落としたりすることもあり不便である。ラジオをどこかに置くのではなく、ベッドの背凭れやベッド側面の転落防止パイプ等に吊り下げて設置できたら便利である。
【００１９】
本願発明は、上記の課題を一括して解決できる方法を提供することを目的とする。
【課題を解決するための手段】
【００２０】
上記課題を解決するために、請求項１の発明は、小型または携帯式の電子機器を収納するハンガーを兼用するスタンドであり、収納部と連結部で繋がった湾曲する形状を有した支持部は前記連結部を支点として回動し、その最下点に達した位置が前記収納部の底面と同一の水平面上に来るように配置されていることを要旨とする。
【発明の効果】
【００２１】
ハンギングスタンドが有する垂直支持機能により、被収納機器の自立定置を安定させる効果がある。
【００２２】
ハンギングスタンドが有する傾斜支持機能により、安定角度に被収納機器を傾斜設置し、前面操作部の操作を片手で済ますことができる。
【００２３】
ハンギングスタンドが有する吊り下げ機能により、ベッドの背もたれや、病院ベッドの側面に配した転落防止用のパイプなどに空中で吊り下げて設置することができる。
【図面の簡単な説明】
【００２４】
【図１】直立支持状態を示す側面図
【図２】直立支持状態を示す背面図
【図３】傾斜支持状態を示す側面図
【図４】傾斜支持状態を示す斜視図
【図５】吊り下げ状態を示す側面図
【発明を実施するための形態】
【００２５】
図１は、ハンギングスタンドの直立支持状態を示す側面図である。収納部１０と連結部３０で連結された支持部２０が最下点に配置されており、そのとき収納部１０の底面と同じ水平位置である卓上面６０に接している。また被収納機器の収納に当たっては被収納機器が収納部１０から脱落しないように被収納機器の背面と収納部１０を面ファスナーなどで留め置いてもよい。
【００２６】
図２は、ハンギングスタンドの直立支持状態を示す背面図である。支持部２０は収納部１０の背面の左右の中心部分に取り付けられている。
【００２７】
図３は、ハンギングスタンドの傾斜支持部状態を示す側面図である。支持部２０の先端部分が卓上面６０に接しており、収納部１０は安定的な角度で被収納機器を収納する。
【００２８】
図４はハンギングスタンドの傾斜支持状態を示す斜視図である。被収納機器４０は前面操作部及びスピーカーを斜め上方に向けて設置される。
【００２９】
図５は、ハンギングスタンドの吊り下げ状態を示す側面図である。連結部３０を支点として上方へ回動された支持部２０は、ベッド背凭れ５０の上先端部分に覆いかぶさりハンギングスタンドを空中で吊り下げる。
【符号の説明】
【００３０】
１０  収納部
２０  支持部
３０  連結部
４０  被収納機器
５０  ベッドの背凭れ
６０  卓上面
【図１】
2013106165.tif 000003
【図２】
2013106165.tif 000004
【図３】
2013106165.tif 000005
【図４】
2013106165.tif 000006
【図５】
2013106165.tif 000007